(57)【要約】【課題】磁石を２以上備えていても、容易に製造することが可能な磁石付きクリーナーを提供すること。【解決手段】磁石付きクリーナー１００は、下面１１ｌ及び下面と相対する上面１１ｕを有する第１洗浄体１１と、上面を、第１洗浄体１１の下面１１ｌと結合した第２洗浄体１２と、下面を、第１洗浄体１１の上面１１ｕと結合した第３洗浄体１３と、第１磁石２１と、第２磁石２２と、を備えている。第１磁石２１は、第１洗浄体１１の下面１１ｌと第２洗浄体１２の上面との間に配置され、第２磁石２２は、第１洗浄体１１の上面１１ｕと第３洗浄体１３の下面との間に、平面から見て第１磁石と重ならない状態で配置されている。【選択図】図１
2020202947.tif 000002
【特許請求の範囲】
【請求項１】
下面及び前記下面と相対する上面を有する第１洗浄体と、
上面を有し、前記上面を、前記第１洗浄体の下面と結合した第２洗浄体と、
下面を有し、前記下面を、前記第１洗浄体の上面と結合した第３洗浄体と、
第１磁石と、
第２磁石と、
を備え、
前記第１磁石は、前記第１洗浄体の下面と前記第２洗浄体の上面との間に配置され、
前記第２磁石は、前記第１洗浄体の上面と前記第３洗浄体の下面との間に、平面から見て前記第１磁石と重ならない状態で配置されていること
を特徴とする磁石付きクリーナー。
【請求項２】
前記第２洗浄体及び前記第３洗浄体のそれぞれの厚さは、前記第１洗浄体の厚さよりも薄いこと
を特徴とする請求項１記載の磁石付きクリーナー。
【請求項３】
下面及び前記下面と相対する上面を有する第１洗浄体と、
上面を有し、前記上面を、前記第１洗浄体の下面と結合した第２洗浄体と、
下面を有し、前記下面を、前記第１洗浄体の上面と結合した第３洗浄体と、
第１磁石と、
第２磁石と、
を備えた磁石付きクリーナーの製造方法であって、
前記第１洗浄体の下面と前記第２洗浄体の上面との間に、前記第１磁石を配置する工程と、
前記第１洗浄体の上面と前記第３洗浄体の下面との間に、前記第２磁石を配置する工程と、
前記第１磁石と前記第２磁石とが平面から見て重ならない状態で、前記第１洗浄体、前記第２洗浄体及び前記第３洗浄体を結合させる工程と、
前記第１洗浄体、前記第２洗浄体及び前記第３洗浄体を、前記第１磁石及び前記第２磁石を、平面から見て重ならない状態で含む磁石付きクリーナーの形状に打ち抜く工程と、
を備えたこと
を特徴とする磁石付きクリーナーの製造方法。
【請求項４】
前記第１洗浄体、前記第２洗浄体及び前記第３洗浄体を結合させる工程は、圧着工程であり、
前記圧着工程では、前記第１洗浄体を、前記第２洗浄体と前記第３洗浄体とで挟みつつ、前記第１磁石と前記第２磁石とが重ならない状態で圧縮させること
を特徴とする請求項３記載の磁石付きクリーナーの製造方法。
【発明の詳細な説明】
【技術分野】
【０００１】
この発明は、磁石付きクリーナー及びその製造方法に関する。
【背景技術】
【０００２】
クリーナーの代表的な例として、洗浄用スポンジが挙げられる。洗浄用スポンジは、使用しないとき、シンク内又はシンク近傍に設けたラックに置かれることが多い。しかし、洗浄用スポンジをラックに置くことは、洗浄用スポンジがラックの汚れと触れたり、洗浄用スポンジが乾燥し難くなったりするため、必ずしも衛生的であるとはいえない。また、ラックは、シンク内又はシンク近傍に場所をとってしまう。
【０００３】
そこで、特許文献１には、スポンジ内に磁石を備え、シンク内壁に吸着可能な食器又は調理器具洗浄用スポンジが記載されている。
【先行技術文献】
【特許文献】
【０００４】
【特許文献１】特開２０１６−２０２８６０号公報
【発明の概要】
【発明が解決しようとする課題】
【０００５】
特許文献１に記載された食器又は調理器具洗浄用スポンジでは、使用しないとき、シンク内壁に吸着させることができ、ラックが不要である。しかし、磁石が１つであるため、スポンジが厚手となると、シンク内壁に吸着し難くなってしまう。磁石を２以上備えていれば吸着力は向上するが、洗浄用スポンジの製造中に、磁石どうしが反発したり、引き合ったりするため、磁石を定位置に固定できず製造が難しい、という事情がある。
【０００６】
この発明は、上記事情に鑑みて為されたもので、その目的は、磁石を２以上備えていても、製造が容易な磁石付きクリーナー及びその製造方法を提供することにある。
【課題を解決するための手段】
【０００７】
第１発明に係る磁石付きクリーナーは、下面及び前記下面と相対する上面を有する第１洗浄体と、上面を有し、前記上面を、前記第１洗浄体の下面と結合した第２洗浄体と、下面を有し、前記下面を、前記第１洗浄体の上面と結合した第３洗浄体と、第１磁石と、第２磁石と、を備え、前記第１磁石は、前記第１洗浄体の下面と前記第２洗浄体の上面との間に配置され、前記第２磁石は、前記第１洗浄体の上面と前記第３洗浄体の下面との間に、平面から見て前記第１磁石と重ならない状態で配置されていることを特徴とする。
【０００８】
第２発明に係る磁石付きクリーナーは、第１発明において、前記第２洗浄体及び前記第３洗浄体のそれぞれの厚さは、前記第１洗浄体の厚さよりも薄いことを特徴とする。
【０００９】
第３発明に係る磁石付きクリーナーの製造方法は、下面及び前記下面と相対する上面を有する第１洗浄体と、上面を有し、前記上面を、前記第１洗浄体の下面と結合した第２洗浄体と、下面を有し、前記下面を、前記第１洗浄体の上面と結合した第３洗浄体と、第１磁石と、第２磁石と、を備えた磁石付きクリーナーの製造方法であって、前記第１洗浄体の下面と前記第２洗浄体の上面との間に、前記第１磁石を配置する工程と、前記第１洗浄体の上面と前記第３洗浄体の下面との間に、前記第２磁石を配置する工程と、前記第１磁石と前記第２磁石とが平面から見て重ならない状態で、前記第１洗浄体、前記第２洗浄体及び前記第３洗浄体を結合させる工程と、前記第１洗浄体、前記第２洗浄体及び前記第３洗浄体を、前記第１磁石及び前記第２磁石を、平面から見て重ならない状態で含む磁石付きクリーナーの形状に打ち抜く工程と、を備えたことを特徴とする。
【００１０】
第４発明に係る磁石付きクリーナーの製造方法は、第３発明において、前記第１洗浄体、前記第２洗浄体及び前記第３洗浄体を結合させる工程は、圧着工程であり、前記圧着工程では、前記第１洗浄体を、前記第２洗浄体と前記第３洗浄体とで挟みつつ、前記第１磁石と前記第２磁石とが重ならない状態で圧縮させることを特徴とする。
【発明の効果】
【００１１】
第１発明によれば、第１磁石を第１洗浄体の下面と第２洗浄体の上面との間に配置し、第２磁石を第１洗浄体の上面と第３洗浄体の下面との間に配置するので、第１磁石及び第２磁石のどちらかが、シンク内壁等に代表される磁性体の吸着部分に近くなる。このため、磁石付きクリーナーが厚手となっても、第１磁石の側又は第２磁石の側で、磁石付きクリーナーを、磁性体の吸着部分に吸着させることが可能となる。
【００１２】
さらに、第１磁石及び第２磁石は、第１洗浄体を介して互いに離れるので、磁石付きクリーナーの製造中に、磁石どうしが反発したり、引き合ったりすることが抑制される。このため、第１磁石及び第２磁石を定位置に固定しやすくなり、製造が容易となる。
【００１３】
さらに、第１磁石及び第２磁石は、平面から見て互いに重ならない状態で配置されるので、磁石付きクリーナーを押し潰しても、第１磁石及び第２磁石は互いに干渉しない。このため、使用者が、使用中に異物感等に代表されるような違和感を感じ難くなる。また、その製造過程において、圧着工程がある場合でも、第１磁石と第２磁石とが互いに干渉しないことから、十分に薄い状態まで圧縮することができる。このため、圧着不足等に起因した接着不良の発生を抑制できる。
【００１４】
第２発明によれば、第２洗浄体の厚さ及び第３洗浄体の厚さのそれぞれが、第１洗浄体の厚さよりも薄い。このため、第１発明により得られる利点を、さらに良く得ることができる。
【００１５】
第３発明及び第４発明のそれぞれによれば、第１発明又は第２発明に係る磁石付きクリーナーの製造方法の１つの態様を具現化できる。特に、第４発明によれば、圧着機が、第１磁石と第２磁石とが互いに干渉したときの厚さを超えて可動する場合、第１磁石と第２磁石とが互いに干渉してしまうと、圧着機が壊れてしまう。このような事情を、第４発明によれば、解消できる。
【図面の簡単な説明】
【００１６】
【図１】図１（ａ）は、この発明の第１実施形態に係る磁石付きクリーナーの一例を示す斜視図である。図１（ｂ）は、この発明の第１実施形態に係る磁石付きクリーナーの一例を示す平面図である。図１（ｃ）は、図１（ｂ）中のＩＣ−ＩＣ線に沿う断面図である。
【図２】図２（ａ）〜図２（ｃ）は、この発明の第１実施形態に係る磁石付きクリーナーの製造方法の一例を示す断面図である。
【図３】図３（ａ）及び図３（ｂ）は、この発明の第１実施形態に係る磁石付きクリーナーの製造方法の一例を示す断面図である。
【図４】図４は、この発明の第１実施形態に係る磁石付きクリーナーの製造工程中における状態を示す斜視図である。
【図５】図５（ａ）は、この発明の第１実施形態に係る磁石付きクリーナーの製造工程中における状態を示す断面図である。図５（ｂ）は、参考例に係る磁石付きクリーナーの製造工程中における状態を示す断面図である。
【図６】図６は、この発明の第１実施形態に係る磁石付きクリーナーの製造工程中における状態を示す斜視図である。
【図７】図７は、この発明の第１実施形態に係る磁石付きクリーナーの製造工程中における状態を示す斜視図である。
【図８】図８（ａ）及び図８（ｂ）は、この発明の第１実施形態に係る磁石付きクリーナーの製造方法の変形例を示す断面図である。
【図９】図９（ａ）及び図９（ｂ）は、この発明の第１実施形態に係る磁石付きクリーナーの製造方法の別の変形例を示す断面図である。
【図１０】図１０（ａ）は、この発明の第１実施形態に係る磁石付きクリーナーの変形例を示す平面図である。図１０（ｂ）は、この発明の第１実施形態に係る磁石付きクリーナーの別の変形例を示す平面図である。
【図１１】図１１（ａ）〜図１１（ｃ）は、この発明の第２実施形態に係る磁石付きクリーナーの製造方法の一例を示す斜視図である。
【発明を実施するための形態】
【００１７】
以下、この発明の実施形態を、図面を参照しながら説明する。各図において、共通する部分については共通する参照符号を付し、重複する説明は省略する。
【００１８】
（第１実施形態）
＜磁石付きクリーナー＞
図１（ａ）は、この発明の第１実施形態に係る磁石付きクリーナーの一例を示す斜視図である。図１（ｂ）は、この発明の第１実施形態に係る磁石付きクリーナーの一例を示す平面図である。図１（ｃ）は、図１（ｂ）中のＩＣ−ＩＣ線に沿う断面図である。
【００１９】
図１（ａ）〜図１（ｃ）に示すように、第１実施形態に係る磁石付きクリーナー１００は、第１洗浄体１１と、第２洗浄体１２と、第３洗浄体１３と、第１磁石２１と、第２磁石２２と、を含む。
【００２０】
第１洗浄体１１の一例は、例えば、ウレタンフォーム等から成るスポンジである。第１洗浄体１１は、下面１１ｌと、上面１１ｕとを有する。第１洗浄体１１の厚さｔ１１の範囲は、磁石付きクリーナー１００が、例えば、洗浄用スポンジであると仮定した場合、実用上の観点より１０ｍｍ以上４０ｍｍ以下を挙げることができる。第１洗浄体１１の厚さｔ１１のより具体的な一例は約３０ｍｍである。
【００２１】
第２洗浄体１２及び第３洗浄体１３の一例は、例えば、ナイロン繊維等を絡み合わせた不織布である。第２洗浄体１２は下面１１ｌに結合、例えば、接着され、第３洗浄体１３は上面１１ｕに結合、例えば、接着されている。第２洗浄体１２の厚さｔ１２の範囲及び第３洗浄体１３の厚さｔ１３の範囲は、磁石付きクリーナー１００が、例えば、洗浄用スポンジであると仮定した場合、実用上の観点より２ｍｍ以上１０ｍｍ以下を挙げることができる。第２洗浄体１２の厚さｔ１２及び第３洗浄体１３の厚さｔ１３のより具体的な一例は、それぞれ約５ｍｍである。
【００２２】
第１磁石２１及び第２磁石２２の一例は、例えば、ネオジウム磁石である。第１磁石２１は、第１洗浄体１１の下面１１ｌと第２洗浄体１２の上面との間に配置されている。第２磁石２２は、第１洗浄体１１の上面１１ｕと第３洗浄体の下面との間に、平面から見て第１磁石２１と重ならない状態で配置されている（図１（ｂ））。これにより、第１磁石２１及び第２磁石２２は、第１洗浄体１１を介して互いに離れる。そして、第１磁石２１と第２磁石２２との間には、第１洗浄体１１の一部分１１ｐが存在する。
【００２３】
＜磁石付きクリーナーの製造方法＞
図２（ａ）〜図２（ｃ）は、この発明の第１実施形態に係る磁石付きクリーナーの製造方法の一例を示す断面図である。図３（ａ）及び図３（ｂ）は、この発明の第１実施形態に係る磁石付きクリーナーの製造方法の一例を示す断面図である。
【００２４】
製造方法の一例では、１枚の第１洗浄体１１、１枚の第２洗浄体１２及び１枚の第３洗浄体１３から、複数の磁石付きクリーナー１００が形成される。図２（ａ）〜図３（ｂ）には、複数の磁石付きクリーナー１００のうち、例えば、３つの磁石付きクリーナーが形成されている断面部分を示す。
【００２５】
まず、図２（ａ）に示すように、第１洗浄体１１、第２洗浄体１２及び第３洗浄体１３を、それぞれ準備する。
【００２６】
次に、図２（ｂ）に示すように、第１洗浄体１１の下面１１ｌと第２洗浄体１２の上面１２ｕとの間に第１磁石２１を配置し、第１洗浄体１１の上面１１ｕと第３洗浄体１３の下面１３ｌとの間に第２磁石２２を配置する。製造方法の一例では、例えば、複数の第１磁石２１を第２洗浄体１２の上面１２ｕ上に配置し、複数の第２磁石２２を第１洗浄体１１の上面１１ｕ上に配置する。第１磁石２１は、第２洗浄体１２の上面１２ｕ上に、そのまま配置されてもよいし、粘着性のある物質、例えば、接着剤を介して配置されてもよい。同様に、第２磁石２２は、第１洗浄体１１の上面１１ｕ上に、そのまま配置してもよいし、粘着性のある物質、例えば、接着剤を介して配置されてもよい。
【００２７】
図４は、この発明の第１実施形態に係る磁石付きクリーナーの製造工程中における状態を示す斜視図である。図４に示す状態は、図２（ｂ）に示す製造工程中における状態に対応する。
【００２８】
図２（ｂ）及び図４に示すように、製造方法の一例では、第１磁石２１と第２磁石２２とが平面から見て重ならない状態となるように、第１磁石２１が第２洗浄体１２の上面１２ｕ上に配置され、第２磁石２２が第１洗浄体１１の上面１１ｕ上に配置される。図４には、第１磁石２１と第２磁石２２とが平面から見て重ならない状態を表現するために、一点鎖線による格子模様が描かれている。第１磁石２１を配置する位置及び第２磁石２２を配置する位置のそれぞれは、位置検出器を用いて配置する位置を特定する方法や、整列配置装置に配置する位置をインプットしておく方法等を用いることで、正確に決定することができる。
【００２９】
次に、図２（ｃ）に示すように、第１磁石２１と第２磁石２２とが平面から見て重ならない状態で、第１洗浄体１１、第２洗浄体１２及び第３洗浄体１３を結合させる。結合の一例は、圧着機を用いた圧着である。第１洗浄体１１、第２洗浄体１２及び第３洗浄体１３を圧着させるとき、第１洗浄体１１、第２洗浄体１２及び第３洗浄体１３を押し潰すように押圧力が印加される。これにより、第１洗浄体１１、第２洗浄体１２及び第３洗浄体１３のそれぞれは、高さ方向に圧縮される。
【００３０】
図５（ａ）は、この発明の第１実施形態に係る磁石付きクリーナーの製造工程中における状態を示す断面図である。図５（ｂ）は、参考例に係る磁石付きクリーナーの製造工程中における状態を示す断面図である。図５（ａ）及び図５（ｂ）に示す各断面は、図２（ｃ）に示す断面に対応する。図５（ａ）及び図５（ｂ）は、第１洗浄体１１、第２洗浄体１２及び第３洗浄体１３を圧着している状態を示す。
【００３１】
製造方法の一例では、第１磁石２１と第２磁石２２とが平面から見て重ならない状態で、第１洗浄体１１、第２洗浄体１２及び第３洗浄体１３のそれぞれを高さ方向に圧縮できる。このため、図５（ａ）に示すように、第１洗浄体１１、第２洗浄体１２及び第３洗浄体１３のそれぞれを高さ方向に圧縮しても、第１磁石２１と第２磁石２２とは、互いに干渉しない。したがって、圧縮したときの厚さｔｐが十分に薄い状態となるまで、第１洗浄体１１、第２洗浄体１２及び第３洗浄体１３のそれぞれを圧縮できる。
【００３２】
これに対して、図５（ｂ）に示す参考例のように、第１磁石２１と第２磁石２２とが平面から見て重なった状態で、第１洗浄体１１、第２洗浄体１２及び第３洗浄体１３のそれぞれを高さ方向に圧縮すると、第１磁石２１と第２磁石２２とが互いに干渉してしまう。したがって、参考例では、圧縮したときの厚さｔｐｒを、上記厚さｔｐと比較して、薄くできない（第１実施形態と参考例との双方で、第１磁石２１及び第２磁石２２それぞれに、同じものを用いた場合）。即ち、“厚さｔｐｒ ＜ 厚さｔｐ”である。このような相違より、製造方法の一例によれば、参考例と比較して、例えば、圧着不足等に起因した接着不良の発生を、より抑制できるという利点が得られる。
【００３３】
図６は、この発明の第１実施形態に係る磁石付きクリーナーの製造工程中における状態を示す斜視図である。図６に示す状態は、図２（ｃ）に示す製造工程中における状態に対応する。
【００３４】
図６には、例えば、圧着後の１枚の第１洗浄体１１、１枚の第２洗浄体１２及び１枚の第３洗浄体１３の状態が示されている。そして、図６には、図２（ｃ）に示した工程の後において、例えば、打ち抜かれるであろう複数の磁石付きクリーナー１００が、想像線により描かれている。
【００３５】
次に、図３（ａ）に示すように、例えば、打抜き加工機５１を用い、第１洗浄体１１、第２洗浄体１２及び第３洗浄体１３を、第１磁石２１及び第２磁石２２を、平面から見て重ならない状態で含む磁石付きクリーナーの形状に打ち抜く。
【００３６】
図７は、この発明の第１実施形態に係る磁石付きクリーナーの製造工程中における状態を示す斜視図である。図７に示す状態は、図３（ｂ）に示す製造工程中における状態に対応する。
【００３７】
打ち抜いた結果、図３（ｂ）及び図７に示すように、１枚の第１洗浄体１１、１枚の第２洗浄体１２及び１枚の第３洗浄体１３から、複数の第１実施形態に係る磁石付きクリーナー１００が得られる。第１実施形態に係る磁石付きクリーナー１００は、例えば、図２（ａ）〜図７に示したような製造方法の一例によって製造することができる。
【００３８】
このような第１実施形態に係る磁石付きクリーナー１００によれば、第１洗浄体１１としてスポンジを備え、第２洗浄体１２及び第３洗浄体１３として不織布を備えている。このため、泡立ちがよい。しかも、スポンジのみのクリーナーと比較して、不織布を備えている分、例えば、食器、調理器具等の被洗浄物に対する洗浄力を高い。
【００３９】
さらに、第１実施形態に係る磁石付きクリーナー１００およびその製造方法によれば、以下のような利点を得ることができる。
【００４０】
（１）磁石付きクリーナー１００では、第１磁石２１を第１洗浄体１１の下面１１ｌと第２洗浄体１２の上面１２ｕとの間に配置し、第２磁石２２を第１洗浄体１１の上面１１ｕと第３洗浄体１３の下面１３ｌとの間に配置する。したがって、第１磁石２１及び第２磁石２２のどちらかが、シンク内壁等に代表される磁性体の吸着部分に近くなる。このため、磁石付きクリーナー１００が厚手となっても、第１磁石２１の側又は第２磁石２２の側で、磁石付きクリーナー１００を、磁性体の吸着部分に吸着させることができる。
【００４１】
（２）磁石付きクリーナー１００では、その製造過程において、第１磁石２１及び第２磁石２２が、第１洗浄体１１を介して互いに離れる。したがって、磁石付きクリーナー１００の製造中に、磁石どうしが反発したり、引き合ったりすることが抑制される。このため、第１磁石２１及び第２磁石２２を定位置に固定しやすくなり、製造が容易となる。
【００４２】
（３）磁石付きクリーナー１００では、第１磁石２１及び第２磁石２２は、平面から見て互いに重ならない状態で配置される。したがって、磁石付きクリーナー１００を押し潰しても、第１磁石２１及び第２磁石２２は互いに干渉しない。このため、使用者が、使用中に異物感等に代表されるような違和感を感じ難くなる。
【００４３】
（４）磁石付きクリーナー１００では、その製造過程において、圧着工程がある場合でも、第１磁石２１と第２磁石２２とが互いに干渉しないことから、十分に薄い状態まで圧縮することができる。このため、圧着不足等に起因した接着不良の発生を抑制できる。
【００４４】
（５）磁石付きクリーナー１００では、第２洗浄体１２の厚さｔ１２及び第３洗浄体１３の厚さｔ１３のそれぞれが、第１洗浄体１１の厚さｔ１１よりも薄い。このような関係においては、上記（１）〜（４）に示した利点を、さらに良く得ることができる。
【００４５】
（６）磁石付きクリーナー１００の製造方法の一例では、磁石付きクリーナー１００の製造方法の１つの態様を具現化できる。また、圧着機が、第１磁石２１と第２磁石２２とが互いに干渉したときの厚さ（≒厚さｔｐｒ）を超えて可動する場合、第１磁石２１と第２磁石２２とが互いに干渉してしまうと、圧着機が、例えば、過負荷となって壊れてしまう。このような事情についても、製造方法の一例によれば、解消できる。
【００４６】
<<磁石付きクリーナーの製造方法：変形例>>
図８（ａ）及び図８（ｂ）は、この発明の第１実施形態に係る磁石付きクリーナーの製造方法の変形例を示す断面図である。図８（ａ）及び図８（ｂ）に示す断面は、それぞれ図２（ｂ）及び図２（ｃ）に示す断面に対応する。
【００４７】
図８（ａ）及び図８（ｂ）に示すように、複数の第２磁石２２は、第３洗浄体１３の下面１３ｌ上に配置するようにしてもよい。この変形例では、第２磁石２２を、第３洗浄体１３の下面１３ｌ上に配置した後、例えば、第３洗浄体１３を上下反転させる。この場合、第２磁石２２は、第３洗浄体１３の下面１３ｌから落下する可能性がある。このような落下を抑制したい場合には、例えば、第２磁石２２を、第３洗浄体１３の下面１３ｌ上に、粘着性のある物質、例えば、接着剤を介して配置すればよい。これにより、第３洗浄体１３を上下反転させても、第２磁石２２の、第３洗浄体１３の下面１３ｌから落下を抑制できる。
【００４８】
図９（ａ）及び図９（ｂ）は、この発明の第１実施形態に係る磁石付きクリーナーの製造方法の別の変形例を示す断面図である。図９（ａ）及び図９（ｂ）に示す断面は、それぞれ図２（ｂ）及び図２（ｃ）に示す断面に対応する。
【００４９】
図９（ａ）及び図９（ｂ）に示すように、複数の第１磁石２１は、第１洗浄体１１の下面１１ｌ上に配置するようにしてもよい。別の変形例においては、第１磁石２１が、第１洗浄体１１の下面１１ｌから落下する可能性がある。このような落下を抑制したい場合には、例えば、第１磁石２１を、第１洗浄体１１の下面１１ｌ上に、粘着性のある物質、例えば、接着剤を介して配置すればよい。
【００５０】
このように、磁石付きクリーナー１００の製造方法は、例えば、上記変形例及び上記別の変形例のように変形することが可能である。
【００５１】
<<磁石付きクリーナー：変形例>>
図１０（ａ）は、この発明の第１実施形態に係る磁石付きクリーナーの変形例を示す平面図である。図１０（ｂ）は、この発明の第１実施形態に係る磁石付きクリーナーの別の変形例を示す平面図である。
【００５２】
第１実施形態に係る磁石付きクリーナー１００は、平面形状が短軸及び長軸を有した“繭形”であり、図１（ｂ）に示したように、第１磁石２１及び第２磁石２２は、短軸方向及び長軸方向のそれぞれから傾けて、第１洗浄体１１の下面１１ｌと第２洗浄体１２の上面１２ｕとの間、及び第１洗浄体１１の上面１１ｕと第３洗浄体１３の下面１３ｌとの間に、平面から見て互いに重ならない状態で配置されていた。しかし、第１磁石２１及び第２磁石２２の配置は、これに限られるものではない。
【００５３】
例えば、図１０（ａ）に示す変形例に係る磁石付きクリーナー１００ａに示すように、第１磁石２１及び第２磁石２２を、長軸方向Ｘに沿って並べて、第１洗浄体１１の下面１１ｌと第２洗浄体１２の上面１２ｕとの間、及び第１洗浄体１１の上面１１ｕと第３洗浄体１３の下面１３ｌとの間に、平面から見て互いに重ならない状態で配置するようにしてもよい。
【００５４】
また、例えば、図１０（ｂ）に示す別の変形例に係る磁石付きクリーナー１００ｂに示すように、第１磁石２１及び第２磁石２２を、短軸方向Ｙに沿って並べて、第１洗浄体１１の下面１１ｌと第２洗浄体１２の上面１２ｕとの間、及び第１洗浄体１１の上面１１ｕと第３洗浄体１３の下面１３ｌとの間に、平面から見て互いに重ならない状態で配置するようにしてもよい。
【００５５】
（第２実施形態）
＜磁石付きクリーナーの製造方法＞
第２実施形態に係る磁石付きクリーナーの製造方法は、磁石無しクリーナーを、磁石付きクリーナーへ仕様変更できる製造方法に関する。
【００５６】
図１１（ａ）〜図１１（ｃ）は、この発明の第２実施形態に係る磁石付きクリーナーの製造方法の一例を示す斜視図である。
【００５７】
まず、図１１（ａ）に示すように、磁石無しクリーナー、例えば、通常のクリーナーを準備する。
【００５８】
次に、図１１（ｂ）に示すように、通常のクリーナーの側面に、スリット６１を形成する。スリット６１の高さ方向の長さは、例えば、第１洗浄体１１の高さ方向の長さと概ね同じとする。また、スリット６１の奥行は、例えば、通常のクリーナーの幅と概ね同じとする。
【００５９】
次に、図１１（ｃ）に示すように、高さが、例えば、第１洗浄体１１の高さ方向の長さと概ね同じである磁石２３を準備する。磁石２３は、例えば、縦長円筒状である。次に、磁石２３を、スリット６１内に挿入する。
【００６０】
このような第２実施形態に係る磁石付きクリーナーの製造方法によれば、磁石無しクリーナー、例えば、通常のクリーナーの側面にスリット６１を形成し、このスリット６１に、磁石２３を挿入するだけで、通常のクリーナーを、磁石付きクリーナー１００ｃへと仕様変更することができる。しかも、通常のクリーナーを磁石付きクリーナー１００ｃへ仕様変更するので、その製造に、通常のクリーナーの製造ラインを、そのまま使用することができる。また、磁石２３は、１つでよい。このため、磁石が複数の場合に比較して、製造しやすい。
【００６１】
また、磁石２３には、高さが、例えば、第１洗浄体１１の高さ方向の長さと概ね同じの縦長のものを使用する。これにより、磁石２３の下面は、第２洗浄体１２の上面と接し、磁石２３の上面は、第３洗浄体１３の下面と接するようにできる。このため、磁石付きクリーナー１００ｃによれば、磁石付きクリーナー１００ｃが厚手であっても、磁石２１の上面側又は磁石２３の下面側で、磁石付きクリーナー１００ｃを、第１実施形態に係る磁石付きクリーナー１００と同様に、磁性体である吸着部分に吸着させることができる。
【００６２】
以上、この発明の実施形態のいくつかを説明したが、実施形態は例として提示したものであり、発明の範囲を限定することは意図していない。例えば、この発明は、実施形態のほか、様々な新規な形態で実施することができる。したがって、一実施形態は、この発明の要旨を逸脱しない範囲で、種々の省略、置き換え、変更が可能である。このような新規な形態や変形は、この発明の範囲や要旨に含まれるとともに、特許請求の範囲に記載された発明、及び特許請求の範囲に記載された発明の均等物の範囲に含まれる。
【００６３】
例えば、第１、第２実施形態において説明した磁石付きクリーナーでは、平面形状が“繭型”のものを例示したが、平面形状は“繭型”に限られることはない。例えば、矩形、楕円形、長円形等、任意の形状への変更が可能である。
【００６４】
また、第１洗浄体１１の材料は、ウレタンフォームに限られることはなく、スポンジとして使用される材料として周知の材料であれば、置き換え、変更等が可能である。同様に、第２洗浄体１２及び第３洗浄体それぞれの材料も、ナイロン繊維に限られることはない。不織布として使用される材料として周知の材料であれば、置き換え、変更等が可能である。
【００６５】
また、第１、第２実施形態において説明した磁石付きクリーナーでは、スポンジと不織布とを組合せたクリーナーを例示したが、スポンジどうしの組合せ、又は不織布どうしの組合せに変更することもできる。
【００６６】
また、第１、第２実施形態において説明した磁石付きクリーナーは、洗浄用スポンジとして、食器又は調理器具に限られることなく、住居、車輛等にも幅広く使用できるものである。
【符号の説明】
【００６７】
１００            ：磁石付きクリーナー（第１実施形態）
１００ａ          ：磁石付きクリーナー（変形例）
１００ｂ          ：磁石付きクリーナー（別の変形例）
１００ｂ          ：磁石付きクリーナー（第２実施形態）
１１              ：第１洗浄体
１１ｌ          ：下面
１１ｕ          ：上面
１１ｐ          ：第１洗浄体１１の一部分
１２              ：第２洗浄体
１２ｕ          ：上面
１３              ：第３洗浄体
１３ｌ          ：下面
２１              ：第１磁石
２２              ：第２磁石
２３              ：磁石
５１              ：打抜き加工機
Ｘ                ：長軸方向
Ｙ                ：短軸方向
ｔ１１            ：第１洗浄体１１の厚さ
ｔ１２            ：第２洗浄体１２の厚さ
ｔ１３            ：第３洗浄体１３の厚さ
【図１】
2020202947.tif 000003
【図２】
2020202947.tif 000004
【図３】
2020202947.tif 000005
【図４】
2020202947.tif 000006
【図５】
2020202947.tif 000007
【図６】
2020202947.tif 000008
【図７】
2020202947.tif 000009
【図８】
2020202947.tif 000010
【図９】
2020202947.tif 000011
【図１０】
2020202947.tif 000012
【図１１】
2020202947.tif 000013